Podtech/llm-jp-corpus-v4-ja_patent huggingface dataset:
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
ホスト端末から印刷データを送信して印刷装置で印刷を行う画像形成システムであって、
前記ホスト端末は、
第１印刷設定情報を前記印刷データに付加する第１印刷設定情報付加部と、
前記印刷装置から受信した要求に基づいて前記印刷装置の印刷機能の第２印刷設定情報を作成する第２印刷設定情報作成部と、
前記印刷データおよび前記第２印刷設定情報を前記印刷装置に送信する送信部と、
を有し、
前記印刷装置は、
前記印刷データおよび前記第２印刷設定情報を受信する受信部と、
前記印刷データに付加された第１印刷設定情報および前記第２印刷設定情報に基づいて印刷設定を行い、前記印刷設定に基づいて前記印刷データを印刷する印刷部と、
を有することを特徴とする画像形成システム。
【請求項２】
請求項１に記載の画像形成システムにおいて、
前記ホスト端末は、
前記印刷装置が有する印刷機能を保持する印刷機能保持部を有し、
前記第２印刷設定情報作成部は、
前記印刷装置から受信した要求に基づいて前記印刷機能保持部が保持する印刷機能の第２印刷設定情報を作成することを特徴とする画像形成システム。
【請求項３】
請求項１または請求項２に記載の画像形成システムにおいて、
前記第１印刷設定情報は、標準印刷設定情報であり、
前記第１印刷設定情報付加部は、標準印刷設定情報付加部であり、
前記第２印刷設定情報は、詳細印刷設定情報であり、
前記第２印刷設定情報作成部は、詳細印刷設定情報作成部であることを特徴とする画像形成システム。
【請求項４】
請求項３に記載の画像形成システムにおいて、
前記ホスト端末は、
前記詳細印刷設定情報作成部で作成した詳細印刷設定情報をプリセット情報としてユーザ毎に保持するプリセット情報保持部を有し、
前記詳細印刷設定情報作成部は、前記プリセット情報保持部に保持されたプリセット情報に基づいて前記詳細印刷設定情報を作成することを特徴とする画像形成システム。
【請求項５】
請求項３または請求項４に記載の画像形成システムにおいて、
前記印刷装置は、
前記詳細印刷設定情報の作成の要求を前記ホスト端末に通知し、前記ホスト端末から前記詳細印刷設定情報を取得する詳細印刷設定情報取得部を有することを特徴とする画像形成システム。
【請求項６】
請求項３から請求項５のいずれかに記載の画像形成システムにおいて、
前記印刷装置は、
前記詳細印刷設定情報の作成の要求を前記ホスト端末に通知するか否かを判定する判定部を有することを特徴とする画像形成システム。
【請求項７】
請求項６に記載の画像形成システムにおいて、
前記判定部は、前記印刷装置に記憶された詳細印刷設定情報付加要否情報に基づいて前記通知の要否を判定することを特徴とする画像形成システム。
【請求項８】
請求項６に記載の画像形成システムにおいて、
前記判定部は、前記印刷データに付加された詳細印刷設定情報付加要否情報に基づいて前記通知の要否を判定することを特徴とする画像形成システム。
【手続補正２】
【補正対象書類名】明細書
【補正対象項目名】０００５
【補正方法】変更
【補正の内容】
【０００５】
そのため、本発明は、ホスト端末から印刷データを送信して印刷装置で印刷を行う画像形成システムであって、前記ホスト端末は、第１印刷設定情報を前記印刷データに付加する第１印刷設定情報付加部と、前記印刷装置から受信した要求に基づいて前記印刷装置の印刷機能の第２印刷設定情報を作成する第２印刷設定情報作成部と、前記印刷データおよび前記第２印刷設定情報を前記印刷装置に送信する送信部と、を有し、前記印刷装置は、前記印刷データおよび前記第２印刷設定情報を受信する受信部と、前記印刷データに付加された第１印刷設定情報および前記第２印刷設定情報に基づいて印刷設定を行い、前記印刷設定に基づいて前記印刷データを印刷する印刷部と、を有することを特徴とする。
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
自車輌の運転を支援するために使用される車輌用画像表示システムであって、
自車輌の前方の状況を検知する前方対象検知部と、
前記前方対象検知部が検知した状況に基づいて、若しくは前記前方対象検知部が検知した状況とカーナビゲーションシステム及び／又は外部からの入手情報とに基づいて、前記対象物が自車輌の運転行動に及ぼし得る影響度を判定する対象物危険度判定部と、
前記自車輌のフロントウインドシールドを画面表示に用いるディスプレイ装置と、
前記自車輌の前方に検知される対象物の前記ディスプレイ装置による画像表示を制御するためのディスプレイ制御部と、を備え、
前記ディスプレイ制御部が、前記対象物の輪郭に沿った形状のマーキング画像を、前記フロントウインドシールドを通して見える現実風景に、実際の前記対象物に重なるように表示し、前記対象物危険度判定部によって判定される前記対象物が前記自車輌の運転行動に及ぼし得る影響度に応じて、前記マーキング画像の表示属性を調整または変更することを特徴とする車輌用画像表示システム。
【請求項２】
前記ディスプレイ制御部が、更に前記対象物の種別によって前記マーキング画像の表示属性を調整・変更する請求項１に記載の車輌用画像表示システム。
【請求項３】
前記表示属性が前記マーキング画像の色、太さ、明るさ、又は点滅若しくは蛍光表示の有無を含む請求項１又は２に記載の車輌用画像表示システム。
【請求項４】
前記マーキング画像が前記対象物の輪郭線を表す請求項１乃至３のいずれかに記載の車輌用画像表示システム。
【請求項５】
前記対象物が、前記自車輌が追従走行するために検知された目標先行車両であり、前記影響度が、前記目標先行車両の検知状態の良否である請求項１乃至４のいずれかに記載の車輌用画像表示システム。
【請求項６】
前記対象物が、前記自車輌の前方に認識される走行環境であり、前記影響度が、前記自車輌の走行に関する危険度である請求項１乃至４のいずれかに記載の車輌用画像表示システム。
【請求項７】
前記走行環境が、道路上及び／又はその周辺の他車輌、歩行者、道路境界、道路表示、道路附属物、道路上の障害物、動物の１つ又は複数を含む請求項６に記載の車輌用画像表示システム。
【請求項８】
自車輌の前方に検知される対象物を、前記自車輌のフロントウインドシールドを画面表示に用いるディスプレイ装置に画像表示させることにより、前記自車輌の運転を支援するための車輌用画像表示方法であって、
前記画像表示が、前記対象物の輪郭に沿った形状のマーキング画像を、前記フロントウインドシールドを通して見える現実風景に、実際の前記対象物に重なるように表示させ、前記対象物が前記自車輌の運転行動に及ぼし得る影響度に応じて、若しくはカーナビゲーションシステム及び／又は外部からの入手情報に基づく前記前方対象検知部が前記自車輌の運転行動に及ぼし得る影響度に応じて、前記マーキング画像の表示属性を調整・変更するように制御される車輌用画像表示方法。
【請求項９】
前記マーキング画像の表示属性が、更に前記対象物の種別によって調整・変更される請求項８に記載の車輌用画像表示方法。
【請求項１０】
前記表示属性が前記マーキング画像の色、太さ、明るさ、又は点滅若しくは蛍光表示の有無を含む請求項８又は９に記載の車輌用画像表示方法。
【請求項１１】
前記対象物が、前記自車輌が追従走行するために検知した目標先行車両であり、前記目標先行車両の検知状態の良否によって前記影響度を判定する請求項８乃至１０のいずれかに記載の車輌用画像表示方法。
【請求項１２】
前記対象物が、前記自車輌の前方に認識される走行環境であり、前記自車輌の走行に関する危険度によって前記影響度を判定する請求項８乃至１０のいずれかに記載の車輌用画像表示方法。
【請求項１３】
前記走行環境が、道路上及び／又はその周辺の他車輌、歩行者、道路境界、道路表示、道路附属物、道路上の障害物、動物から選択される１つ又は複数である請求項１２に記載の車輌用画像表示システム。
【手続補正２】
【補正対象書類名】明細書
【補正対象項目名】００１１
【補正方法】変更
【補正の内容】
【００１１】
本発明の車輌用画像表示システムは、自車輌の運転を支援するために使用されるものであって、自車輌の前方の状況を検知する前方対象検知部と、前記前方対象検知部が検知した状況に基づいて、若しくは前記前方対象検知部が検知した状況とカーナビゲーションシステム及び／又は外部からの入手情報とに基づいて、前記対象物が自車輌の運転行動に及ぼし得る影響度を判定する対象物危険度判定部と、自車輌のフロントウインドシールドを画面表示に用いるディスプレイ装置と、自車輌の前方に検知される対象物の前記ディスプレイ装置による画像表示を制御するためのディスプレイ制御部とを備え、前記ディスプレイ制御部が、対象物の輪郭に沿った形状のマーキング画像を、フロントウインドシールドを通して見える現実風景に、実際の対象物に重なるように表示し、前記対象物危険度判定部によって判定される前記対象物が自車輌の運転行動に及ぼし得る影響度に応じて、マーキング画像の表示属性を調整または変更することを特徴とする。
【手続補正３】
【補正対象書類名】明細書
【補正対象項目名】００１８
【補正方法】変更
【補正の内容】
【００１８】
本発明の別の側面によれば、本発明の車輌用画像表示方法は、自車輌の前方に検知される対象物を、自車輌のフロントウインドシールドを画面表示に用いるディスプレイ装置に画像表示させることにより、自車輌の運転を支援するためのものであって、画像表示が、対象物の輪郭に沿った形状のマーキング画像を、フロントウインドシールドを通して見える現実風景に、実際の前記対象物に重なるように表示させ、前記対象物が前記自車輌の運転行動に及ぼし得る影響度に応じて、若しくはカーナビゲーションシステム及び／又は外部からの入手情報に基づく前方対象検知部が自車輌の運転行動に及ぼし得る影響度に応じて、マーキング画像の表示属性を調整・変更するように制御されることを特徴とする。
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
表示部への表示を制御する情報処理装置であって、
前記表示部に表示されている画面は、ユーザが実行可能なアプリケーションを選択するためのアプリケーション項目の一覧を表示する第１表示領域と、前記第１表示領域とは異なる表示領域である第２表示領域とを有し、前記第１表示領域の表示位置を決定する決定手段と、
異常が発生したことに応じて前記決定手段により前記第１表示領域の表示位置を決定し、前記第２表示領域には前記異常に関する情報を表示するように制御する制御手段と、を有し、
前記制御手段は、前記異常が発生したことに応じて前記決定手段により決定される前記第１表示領域の表示位置を、前記異常が発生していない場合よりも前記第１表示領域を小さくする表示位置となるように制御することを特徴とする情報処理装置。
【請求項２】
前記第２表示領域は、前記画面の表示状態、あるいは前記情報処理装置の状態に関する情報を表示することを特徴とする請求項１に記載の情報処理装置。
【請求項３】
前記異常が発生した場合、前記制御手段は、
前記異常に関する情報を表示する前記第２表示領域と前記第１表示領域とを表示する第１の画面と、
前記画面の表示状態に関する情報を表示する前記第２表示領域と前記第１表示領域とを表示する第２の画面であって、前記第２の画面で表示される前記第１表示領域の表示位置と、前記第１の画面で表示される前記第１表示領域の表示位置とが同じである前記第２の画面と、を切り替えて表示するように制御することを特徴とする請求項２に記載の情報処理装置。
【請求項４】
前記制御手段は、前記異常が発生した場合に、前記第２表示領域に表示される情報の文字列を所定の方向に移動させて表示することで、前記異常に関する情報と前記情報処理装置の状態に関する情報とを含む情報を表示するように制御することを特徴とする請求項２に記載の情報処理装置。
【請求項５】
前記制御手段は、前記第１表示領域に表示された前記アプリケーション項目のうちの一つが選択されたことで表示されるアプリケーション画面において、前記異常に関する情報を表示しないように制御することを特徴とする請求項１乃至４のいずれか１項に記載の情報処理装置。
【請求項６】
前記画面の表示状態に関する情報は、前記表示部によって表示されている画面が前記アプリケーション項目の一覧を表示するホーム画面であることを示す情報であり、前記情報処理装置の状態に関する情報は、前記情報処理装置の無線ＬＡＮの接続状態を示す情報であることを特徴とする請求項２に記載の情報処理装置。
【請求項７】
前記異常に関する情報は、当該異常の種類と、当該異常に対する処置を示す情報を含むことを特徴とする請求項１乃至６のいずれか１項に記載の情報処理装置。
【請求項８】
表示部への表示を制御する情報処理装置を制御する制御方法であって、
前記表示部に表示されている画面は、ユーザが実行可能なアプリケーションを選択するためのアプリケーション項目の一覧を表示する第１表示領域と、前記第１表示領域とは異なる表示領域である第２表示領域とを有し、前記第１表示領域の表示位置を決定する決定工程と、
異常が発生したことに応じて前記決定工程で前記第１表示領域の表示位置を決定し、前記第２表示領域には前記異常に関する情報を表示するように制御する制御工程と、を有し、
前記制御工程は、前記異常が発生したことに応じて前記決定工程で決定される前記第１表示領域の表示位置を、前記異常が発生していない場合よりも前記第１表示領域を小さくする表示位置となるように制御することを特徴とする制御方法。
【請求項９】
コンピュータを、請求項１乃至７のいずれか１項に記載の情報処理装置の各手段として機能させるためのプログラム。
【手続補正２】
【補正対象書類名】明細書
【補正対象項目名】００１２
【補正方法】変更
【補正の内容】
【００１２】
上記目的を達成するために本発明の一態様に係る情報処理装置は以下のような構成を備える。即ち、
表示部への表示を制御する情報処理装置であって、
前記表示部に表示されている画面は、ユーザが実行可能なアプリケーションを選択するためのアプリケーション項目の一覧を表示する第１表示領域と、前記第１表示領域とは異なる表示領域である第２表示領域とを有し、前記第１表示領域の表示位置を決定する決定手段と、
異常が発生したことに応じて前記決定手段により前記第１表示領域の表示位置を決定し、前記第２表示領域には前記異常に関する情報を表示するように制御する制御手段と、を有し、
前記制御手段は、前記異常が発生したことに応じて前記決定手段により決定される前記第１表示領域の表示位置を、前記異常が発生していない場合よりも前記第１表示領域を小さくする表示位置となるように制御することを特徴とする。
【手続補正３】
【補正対象書類名】明細書
【補正対象項目名】００２５
【補正方法】変更
【補正の内容】
【００２５】
アイコン４０１は、この画面がホーム画面であることを示すためのアイコンである。テキスト４０２は、この画面がホーム画面であることを示すためのテキスト表示である。アイコン４０３は、無線ＬＡＮ（Ｌｏｃａｌ  Ａｒｅａ  Ｎｅｔｗｏｒｋ）の通信接続状況を示すアイコンである。項目４０６，４０５は、この画像形成装置１００で実行可能なアプリケーション項目を示す。ここで項目４０５はセキュアプリントのアプリを示し、項目４０６はメモリメディアに記憶されているデータを印刷するメディアプリントのアプリを示している。スクロールバー４０４は、アプリケーション項目の一覧をスクロールさせるためのキーである。４０７〜４１０は、プリンタエンジン１０４のＹ，Ｍ，Ｃ，Ｋのトナーカートリッジのトナー残量を表示している。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
撮影光学系を通過した光束を受光して、複数の焦点検出領域のそれぞれに対応する一対の像信号を生成する信号生成手段と、
前記信号生成手段により生成された前記一対の像信号に基づいてデフォーカス値を検出する検出手段と、
前記検出手段により前記複数の焦点検出領域のそれぞれにおいて検出されたデフォーカス値に基づく焦点状態の分布情報を記憶部に記憶する記憶制御手段と、
前記複数の焦点検出領域の中から第１の焦点検出領域を選択する選択手段と、
前記選択手段により選択された前記第１の焦点検出領域のデフォーカス値に基づいて焦点調節を行う調節手段を有し、
前記検出手段によるデフォーカス値の検出および前記調節手段による焦点調節を繰り返し行う際に、前記第１の焦点検出領域のデフォーカス値が予め決められた第１の範囲内の場合、前記検出手段は、前記複数の焦点検出領域のうち、前記第１の焦点検出領域を含む限定された焦点検出領域において次回のデフォーカス値の検出を行い、前記記憶制御手段は、当該検出結果に基づく前記焦点状態の分布情報の更新を行わないように制御することを特徴とする焦点検出装置。
【請求項２】
合焦近傍の場合に、デフォーカス値が前記第１の範囲内となることを特徴とする請求項１に記載の焦点検出装置。
【請求項３】
前記複数の焦点検出領域のそれぞれにおいて検出されたデフォーカス値の相対値の変動量が閾値よりも大きい場合、前記検出手段は、前記複数の焦点検出領域においてデフォーカス値の検出を行い、前記記憶制御手段は、当該検出結果に基づく前記焦点状態の分布情報を更新することを特徴とする請求項１または２に記載の焦点検出装置。
【請求項４】
焦点検出領域を示す表示を行う表示手段を更に有し、
前記第１の焦点検出領域のデフォーカス値が予め決められた第２の範囲内にある場合、前記表示手段において、当該第１の焦点検出領域を示す表示を行うことを特徴とする請求項１乃至３のいずれか１項に記載の焦点検出装置。
【請求項５】
合焦状態の場合に、デフォーカス値が前記第２の範囲内となることを特徴とする請求項４に記載の焦点検出装置。
【請求項６】
前記第１の焦点検出領域のデフォーカス値が前記第１の範囲内にあり、且つ、前記複数の焦点検出領域のそれぞれにおいて検出されたデフォーカス値の相対値の変動量が閾値以下の場合に、前記表示手段において、当該第１の焦点検出領域を示す表示を行うことを特徴とする請求項４または５に記載の焦点検出装置。
【請求項７】
前記表示手段において、前記複数の焦点検出領域のうち、前記第１の焦点検出領域とのデフォーカス値の差が予め決められた範囲内である焦点検出領域を示す表示を更に行うことを特徴とする請求項４乃至６のいずれか１項に記載の焦点検出装置。
【請求項８】
前記信号生成手段は、前記撮影光学系を通過した光束を光電変換する光電変換部を備え、焦点検出領域に応じて分割された前記光電変換部の各領域に対応する前記一対の像信号を出力することを特徴とする請求項１乃至７のいずれか１項に記載の焦点検出装置。
【請求項９】
前記光電変換部の分割パターンとして、前記複数の焦点検出領域のうち、第１のグループの焦点検出領域に応じた第１の分割パターンと、前記第１のグループと異なる第２のグループの焦点検出領域に応じた第２の分割パターンを備えることを特徴とする請求項８に記載の焦点検出装置。
【請求項１０】
前記第１の焦点検出領域のデフォーカス値が前記第１の範囲内の場合、前記検出手段は、当該第１の焦点検出領域に対応する分割パターンにより分割された前記光電変換部の各領域に対応する前記一対の像信号に基づいてデフォーカス値を検出することを特徴とする請求項９に記載の焦点検出装置。
【請求項１１】
前記焦点状態の分布情報は、前記第１の焦点検出領域のデフォーカス値と前記複数の焦点検出領域それぞれのデフォーカス値との差分を焦点検出領域ごとに示した情報であることを特徴とする請求項１乃至１０のいずれか１項に記載の焦点検出装置。
【請求項１２】
前記選択手段は、前記複数の焦点検出領域のデフォーカス値に基づいて、最も近距離にある被写体の画像を含む焦点検出領域を前記第１の焦点検出領域として選択することを特徴とする請求項１乃至１１のいずれか１項に記載の焦点検出装置。
【請求項１３】
前記撮影光学系により結像された被写体光学像を光電変換して、画像信号を出力する撮像素子と、
請求項１乃至１２のいずれか１項に記載の焦点検出装置と
を有することを特徴とする撮像装置。
【請求項１４】
撮影光学系を通過した光束を受光して、複数の焦点検出領域のそれぞれに対応する一対の像信号を生成する信号生成手段を備える焦点検出装置の制御方法であって、
前記信号生成手段により生成された前記一対の像信号に基づいてデフォーカス値を検出する検出工程と、
前記検出工程で前記複数の焦点検出領域のそれぞれにおいて検出されたデフォーカス値に基づく焦点状態の分布情報を記憶部に記憶する記憶制御工程と、
前記複数の焦点検出領域の中から第１の焦点検出領域を選択する選択工程と、
前記選択工程で選択された前記第１の焦点検出領域のデフォーカス値に基づいて焦点調節を行う調節工程とを有し、
前記検出工程によるデフォーカス値の検出および前記調節工程による焦点調節を繰り返し行う際に、前記第１の焦点検出領域のデフォーカス値が予め決められた第１の範囲内の場合、前記検出工程において、前記複数の焦点検出領域のうち、前記第１の焦点検出領域を含む限定された焦点検出領域において次回のデフォーカス値の検出を行い、前記記憶制御工程において、当該検出結果に基づく前記焦点状態の分布情報の更新を行わないように制御することを特徴とする焦点検出装置の制御方法。
【請求項１５】
コンピュータに、請求項１４に記載の焦点検出装置の制御方法の各工程を実行させるためのプログラム。
【請求項１６】
請求項１５に記載のプログラムを記憶したコンピュータが読み取り可能な記憶媒体。
【手続補正２】
【補正対象書類名】明細書
【補正対象項目名】０００７
【補正方法】変更
【補正の内容】
【０００７】
上記目的を達成するために、本発明の焦点検出装置は、撮影光学系を通過した光束を受光して、複数の焦点検出領域のそれぞれに対応する一対の像信号を生成する信号生成手段と、前記信号生成手段により生成された前記一対の像信号に基づいてデフォーカス値を検出する検出手段と、前記検出手段により前記複数の焦点検出領域のそれぞれにおいて検出されたデフォーカス値に基づく焦点状態の分布情報を記憶部に記憶する記憶制御手段と、前記複数の焦点検出領域の中から第１の焦点検出領域を選択する選択手段と、前記選択手段により選択された前記第１の焦点検出領域のデフォーカス値に基づいて焦点調節を行う調節手段を有し、前記検出手段によるデフォーカス値の検出および前記調節手段による焦点調節を繰り返し行う際に、前記第１の焦点検出領域のデフォーカス値が予め決められた第１の範囲内の場合、前記検出手段は、前記複数の焦点検出領域のうち、前記第１の焦点検出領域を含む限定された焦点検出領域において次回のデフォーカス値の検出を行い、前記記憶制御手段は、当該検出結果に基づく前記焦点状態の分布情報の更新を行わないように制御する。
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
回転軸に対して軸方向にスライド可能に取り付けられ、前記回転軸に設けた軸側駆動伝達部が嵌合する軸方向に延びた嵌合部を有し、前記回転軸との間で駆動伝達を行う駆動伝達部材と、
前記駆動伝達部材を軸方向一方側に付勢するコイルスプリングと、
前記コイルスプリングの付勢力による駆動伝達部材の前記回転軸からの抜け出しを防止する抜け止め手段とを有する駆動伝達装置であって、
前記駆動伝達部材が前記抜け止め手段により止められているときの前記コイルスプリングの長さをＡ、
巻線同士が密着するまで前記コイルスプリングを圧縮したときのコイルスプリングの長さである密着高さをＢ、
前記嵌合部の軸方向長さをＣとしたとき、
前記コイルスプリングとして、巻線ピッチが互いに異なる部分を有するコイルスプリングを用いて、Ｃ＞Ａ−Ｂの関係を満たすことを特徴とする駆動伝達装置。
【請求項２】
請求項１に記載の駆動伝達装置であって、
前記コイルスプリングは、巻線ピッチが疎の部分と、３巻き以上の巻線ピッチが密の部分とを有し、巻線ピッチ密の部分は、巻線同士が接触していることを特徴とすることを特徴とする駆動伝達装置。
【請求項３】
請求項１または２に記載の駆動伝達装置であって、
前記抜け止め手段は、前記軸側駆動伝達部であることを特徴とする駆動伝達装置。
【請求項４】
請求項１乃至３いずれかに記載の駆動伝達装置であって、
前記コイルスプリングの一端を、前記回転軸に圧入された部材に当接させたことを特徴とする駆動伝達装置。
【請求項５】
請求項４に記載の駆動伝達装置であって、
前記回転軸に圧入された部材が、ベアリングであることを特徴とする駆動伝達装置。
【請求項６】
請求項１乃至５いずれかに記載の駆動伝達装置であって、
前記駆動伝達部材は、前記回転軸が挿入される筒状部を有し、
前記筒状部の内径を、前記回転軸の外径よりも大きくしたことを特徴とする駆動伝達装置。
【請求項７】
請求項１乃至６いずれかに記載の駆動伝達装置を備えた画像形成装置。
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
３次元モデルを記憶する記憶手段を備える情報処理装置を、
ユーザにより指定された３次元モデルから、部品を配置可能な配置先を取得する取得手段と、
前記取得手段により前記３次元モデルから取得された複数の配置先のそれぞれに対して配置する部品をユーザに選択させるための画面を表示する表示手段と、
ユーザから、前記表示手段により表示された画面において、前記取得手段により取得された配置先に配置する部品の選択を受け付ける受付手段と、
前記受付手段により選択を受け付けた部品を配置して表示すべく制御する表示制御手段として機能させるためのプログラム。
【請求項２】
前記表示手段を、前記取得手段により取得された複数の前記配置先にかかる情報を１つの画面において一覧表示する手段として機能させ、
前記受付手段を、前記複数の配置先のうちどの配置先にどの部品を配置するかの選択を受け付ける手段として機能させるための請求項１に記載のプログラム。
【請求項３】
前記情報処理装置を、
前記取得手段により取得された前記配置先にかかる条件を満たす部品を、当該配置先に配置可能な部品として、当該配置先にかかる情報に対応付けて選択可能に表示すべく設定する設定手段として機能させるための請求項１又は２に記載のプログラム。
【請求項４】
前記受付手段を、前記ユーザにより指定された３次元モデルのファイルが、複数の部品ファイルを参照可能なファイルであるアセンブリファイルである場合に、当該３次元モデルから取得された前記配置先に配置する部品の選択を受け付ける手段として機能させるための請求項１乃至３のいずれか１項に記載のプログラム。
【請求項５】
前記情報処理装置を、
前記配置先の種類の指定を受け付ける指定受付手段として機能させ、
前記表示手段を、前記指定受付手段により指定を受け付けた種類の配置先に対して配置する部品をユーザに選択させるための画面を表示する手段として機能させるための請求項１乃至４のいずれか１項に記載のプログラム。
【請求項６】
前記配置先は、前記３次元モデルの穴フィーチャであり、前記部品は前記穴フィーチャの示す穴に挿入するように配置するボルトであることを特徴とする請求項１乃至６のいずれか１項に記載のプログラム。
【請求項７】
３次元モデルを記憶する記憶手段を備える情報処理装置であって、
ユーザにより指定された３次元モデルから、部品を配置可能な配置先を取得する取得手段と、  前記取得手段により前記３次元モデルから取得された複数の配置先のそれぞれに対して配置する部品をユーザに選択させるための画面を表示する表示手段と、
ユーザから、前記表示手段により表示された画面において、前記取得手段により取得された配置先に配置する部品の選択を受け付ける受付手段と、
前記受付手段により選択を受け付けた部品を配置して表示すべく制御する表示制御手段と、
を備えることを特徴とする情報処理装置。
【請求項８】
３次元モデルを記憶する記憶手段を備える情報処理装置の制御方法であって、
ユーザにより指定された３次元モデルから、部品を配置可能な配置先を取得する取得工程と、
前記取得工程により前記３次元モデルから取得された複数の配置先のそれぞれに対して配置する部品をユーザに選択させるための画面を表示する表示工程と、
ユーザから、前記表示工程により表示された画面において、前記取得工程により取得された配置先に配置する部品の選択を受け付ける受付工程と、
前記受付工程により選択を受け付けた部品を配置して表示すべく制御する表示制御工程と、
を含む制御方法。
【請求項９】
部品を記憶するサーバ装置と、３次元モデルを記憶する記憶手段を備える情報処理装置とを含む情報処理システムを制御するプログラムであって、
前記情報処理システムを、
ユーザにより指定された３次元モデルから、部品を配置可能な配置先を取得する取得手段と、
前記取得手段により前記３次元モデルから取得された複数の配置先のそれぞれに対して配置する部品をユーザに選択させるための画面を表示する表示手段と、
ユーザから、前記表示手段により表示された画面において、前記取得手段により取得された配置先に配置する部品の選択を受け付ける受付手段と、
前記受付手段により選択を受け付けた部品を配置して表示すべく制御する表示制御手段として機能させるためのプログラム。
【請求項１０】
部品を記憶するサーバ装置と、３次元モデルを記憶する記憶手段を備える情報処理装置とを含む情報処理システムであって、
ユーザにより指定された３次元モデルから、部品を配置可能な配置先を取得する取得手段と、
前記取得手段により前記３次元モデルから取得された複数の配置先のそれぞれに対して配置する部品をユーザに選択させるための画面を表示する表示手段と、
ユーザから、前記表示手段により表示された画面において、前記取得手段により取得された配置先に配置する部品の選択を受け付ける受付手段と、
前記受付手段により選択を受け付けた部品を配置して表示すべく制御する表示制御手段と、
を備えることを特徴とする情報処理システム。
【請求項１１】
部品を記憶するサーバ装置と、３次元モデルを記憶する記憶手段を備える情報処理装置とを含む情報処理システムの
ユーザにより指定された３次元モデルから、部品を配置可能な配置先を取得する取得工程と、
前記取得工程により前記３次元モデルから取得された複数の配置先のそれぞれに対して配置する部品をユーザに選択させるための画面を表示する表示工程と、
ユーザから、前記表示工程により表示された画面において、前記取得工程により取得された配置先に配置する部品の選択を受け付ける受付工程と、
前記受付工程により選択を受け付けた部品を配置して表示すべく制御する表示制御工程と、
を含む制御方法。
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
ウェブブラウザの機能を利用して処理を行う第１の情報処理手段と、
ウェブブラウザの機能を利用せず少なくとも画像表示を含む処理を行う第２の情報処理手段と、
によって処理を行う情報処理装置であって、
前記第１の情報処理手段からプロキシを介して情報網によって接続された外部サーバに情報を要求する外部情報要求手段と、
前記要求に応じて、前記プロキシにおいて前記外部サーバから情報を取得し、前記情報をメモリに保存する情報取得手段と、
前記プロキシにおいて前記情報を前記第２の情報処理手段における画像表示処理可能な形式に変換する情報変換手段と、
前記情報変換手段において形式が変換された前記情報を前記プロキシから前記第２の情報処理手段に送信するネイティブ用情報送信手段と、
を備え、
前記情報変換手段において変換された前記情報を用いて前記第２の情報処理手段において画像表示処理を行うことを特徴とする情報処理装置。
【請求項２】
請求項１に記載の情報処理装置であって、
前記要求は、前記ネイティブ用情報送信手段において前記プロキシから前記第２の情報処理手段へ前記情報が送られた後、前記情報を前記プロキシから削除するか否かを示す削除指令を含み、
前記削除指令が削除するという指令である場合、前記プロキシは、前記プロキシから前記第２の情報処理手段へ前記情報が送られた後に前記情報を前記メモリから削除することを特徴とする情報処理装置。
【請求項３】
請求項１又は２に記載の情報処理装置であって、
前記情報変換手段において形式が変換された前記情報へのアクセスするためのアクセス情報を前記第１の情報処理手段から前記第２の情報処理手段に送信するアクセス情報送信手段を備え、
前記ネイティブ用情報送信手段は、前記第２の情報処理手段から前記アクセス情報を用いてアクセスされた場合に前記情報変換手段において形式が変換された前記情報を前記プロキシから前記第２の情報処理手段に送信することを特徴とする情報処理装置。
【請求項４】
請求項１〜３のいずれか１項に記載の情報処理装置であって、
前記要求は、前記第１の情報処理手段において利用される情報の形式から前記第２の情報処理手段において利用される情報の形式へ変換する方法を特定する情報を含むことを特徴とする情報処理装置。
【請求項５】
ウェブブラウザの機能を利用して処理を行う第１の情報処理手段と、
ウェブブラウザの機能を利用せず少なくとも画像表示を含む処理を行う第２の情報処理手段と、
を含む情報処理プログラムであって、
コンピュータを、
前記第１の情報処理手段からプロキシを介して情報網によって接続された外部サーバに情報を要求する外部情報要求手段と、
前記要求に応じて、前記プロキシにおいて前記外部サーバから情報を取得し、前記情報をメモリに保存する情報取得手段と、
前記プロキシにおいて前記情報を前記第２の情報処理手段における画像表示処理可能な形式に変換する情報変換手段と、
前記情報変換手段において形式が変換された前記情報を前記プロキシから前記第２の情報処理手段に送信するネイティブ用情報送信手段と、
して機能させ、
前記情報変換手段において変換された前記情報を用いて前記第２の情報処理手段において画像表示処理を行うことを特徴とする情報処理プログラム。
【請求項６】
情報処理装置において、
ウェブブラウザの機能を利用して処理を行う第１の情報処理手段からプロキシを介して情報網によって接続された外部サーバに情報を要求する第１の工程と、
前記要求に応じて、前記プロキシにおいて前記外部サーバから情報を取得し、前記情報をメモリに保存する第２の工程と、
前記プロキシにおいて前記情報をウェブブラウザの機能を利用せず少なくとも画像表示を含む処理を行う第２の情報処理手段における画像表示処理可能な形式に変換する第３の工程と、
前記情報変換手段において形式が変換された前記情報を前記プロキシから前記第２の情報処理手段に送信する第４の工程と、
前記第３の工程において変換された前記情報を用いて前記第２の情報処理手段において画像表示処理を行う第５の工程と、
を行うことを特徴とする情報処理方法。
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
半導体装置は、同期クロックに従って、送信または受信の順序的な通信を行うインタフェース回路を備え、
前記インタフェース回路は、
送信状態および受信状態の少なくとも１つの状態である動作イネーブル状態を指定する第１のレジスタと、
前記動作イネーブル状態において、送信または受信の少なくとも１つのモードを変更するモード制御回路と、
を備える。
【請求項２】
請求項１の半導体装置において、
前記インタフェース回路は、前記モードの変更に応じて、ステータス出力を行うよう構成される。
【請求項３】
請求項１の半導体装置において、
さらに、送受信状態において、送信抑止または受信抑止を指定することが可能な情報を有する第２のレジスタを備える。
【請求項４】
請求項３の半導体装置において、
前記第２のレジスタは、コマンド受信およびデータ受信のいずれかを指定することが可能な情報を備える。
【請求項５】
請求項１の半導体装置において、
前記インタフェース回路は、データ送信完了割り込み要求、コマンド受信完了割り込み要求およびデータ受信完了割り込み要求のいずれかを出力することが可能であるよう構成される。
【請求項６】
請求項１の半導体装置において、
さらに、データ転送装置を備え、
前記モード制御回路は、前記データ転送装置の所定の動作に応じた制御を受け、送信または受信の動作完了後に、前記モードの変更を行うよう構成される。
【請求項７】
請求項５の半導体装置において、
さらに、データ転送装置を備え、
前記データ転送装置は、前記データ送信完了割り込み要求、前記コマンド受信完了割り込み要求および前記データ受信完了割り込み要求のいずれかに基づいて起動するよう構成される。
【請求項８】
請求項７の半導体装置において、
前記データ転送装置は、データ転送時に、データ転送情報またはデータ転送の内容に基づき、前記インタフェース回路のモードを変更する情報を生成するよう構成される。
【請求項９】
請求項７の半導体装置において、
前記データ転送装置は、転送モード情報を格納するレジスタと、第１および第２の転送元アドレス情報を格納するレジスタと、転送先アドレス情報を格納するレジスタと、演算回路と、を含み、
前記第１の転送元アドレス情報に基づきリードしたデータと、前記第２の転送元アドレス情報とを、前記演算回路で演算した結果に基づくリードを行い、これを前記転送先アドレス情報に基づくライトを行うよう構成される。
【請求項１０】
請求項１の半導体装置において、
さらに、中央処理装置と割り込み制御回路とデータ転送装置とを有し、
前記インタフェース回路は、前記割り込み制御回路に対して割り込み要求を行い、
前記割り込み制御回路は、前記割り込み要求に応じて、前記中央処理装置に対して割り込み信号を出力し、または前記データ転送装置に対して起動要求を出力するよう構成される。
【請求項１１】
システムは、
同期クロックに従って、送信または受信の順序的な通信を行う第１のインタフェース回路を備える第１の半導体装置と、
前記同期クロックに従って、送信または受信の順序的な通信を行う第２のインタフェース回路を備える第２の半導体装置と、
を備え、
前記第２のインタフェース回路は、
送受信状態を指定する第１のレジスタと、
前記送受信状態において、送信または受信の少なくとも１つのモードを変更するモード制御回路と、
を備える。
【請求項１２】
請求項１１のシステムにおいて、
前記第２のインタフェース回路は、前記モードの変更に応じて、ステータスを出力し、
前記第１のインタフェース回路は、前記ステータスを入力するよう構成される。
【請求項１３】
請求項１１のシステムにおいて、
前記第２のインタフェース回路は、さらに、前記送受信状態において、送信抑止または受信抑止を指定することが可能な情報を有する第２のレジスタを備える。
【請求項１４】
請求項１３のシステムにおいて、
前記第２のレジスタは、コマンド受信およびデータ受信のいずれかを指定することが可能な情報を備える。
【請求項１５】
請求項１１のシステムにおいて、
前記第２のインタフェース回路は、前記第１のインタフェース回路から出力される１つの同期クロックに同期して、送信および受信の順序的な通信を行うよう構成される。
【請求項１６】
請求項１１の半導体装置において、
前記第２の半導体装置は、さらに、データ転送装置を備え、
前記モード制御回路は、前記データ転送装置の所定の動作に応じた制御を受け、送信または受信の動作完了後に、前記モードの変更を行うよう構成される。
【請求項１７】
請求項１１のシステムにおいて、
前記第２の半導体装置は、さらに、データ転送装置を備え、
前記データ転送装置は前記第２のインタフェース回路のデータ送信完了割り込み要求、コマンド受信完了割り込み要求およびデータ受信完了割り込み要求のいずれかに基づいて起動するよう構成される。
【請求項１８】
請求項１７のシステムにおいて、
前記データ転送装置は、データ転送時に、データ転送情報またはデータ転送の内容に基づき、前記第２のインタフェース回路のモードを変更する情報を生成するよう構成される。
【請求項１９】
請求項１７のシステムにおいて、
前記データ転送装置は、転送モード情報を格納するレジスタと、第１および第２の転送元アドレス情報を格納するレジスタと、転送先アドレス情報を格納するレジスタと、演算回路と、を含み、
前記第１の転送元アドレス情報に基づきリードしたデータと、前記第２の転送元アドレス情報とを、前記演算回路で演算した結果に基づくリードを行い、これを前記転送先アドレス情報に基づくライトを行うよう構成される。
【請求項２０】
請求項１１のシステムにおいて、
前記第２の半導体装置は、さらに、中央処理装置と割り込み制御回路とデータ転送装置とを有し、
前記第２のインタフェース回路は、前記割り込み制御回路に対して割り込み要求を行い、
前記割り込み制御回路は、前記割り込み要求に応じて、前記中央処理装置に対して割り込み信号を出力し、または前記データ転送装置に対して起動要求を出力するよう構成される。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
端末装置から広告要求を受け付ける受付部と、
前記端末装置における所定のアプリケーションの利用履歴に関する情報に基づいて推定された前記所定のアプリケーションに対する前記端末装置を利用するユーザの関心の度合いが所定の基準を満たす場合、アプリケーションに関する広告を配信対象の広告として選択する選択部と、
前記受付部により前記広告要求が受け付けられた場合、前記選択部により選択された前記配信対象の広告を前記端末装置に配信する配信部と、
を備えたことを特徴とする配信装置。
【請求項２】
前記選択部は、
前記関心の度合いが所定の基準を満たす場合、前記所定のアプリケーションに類似するアプリケーションに関する広告を前記配信対象の広告として選択する
ことを特徴とする請求項１に記載の配信装置。
【請求項３】
前記選択部は、
前記関心の度合いが所定の基準を満たす場合、前記端末装置においてユーザが操作中のアプリケーションに類似するアプリケーションに関する広告を前記配信対象の広告として選択する
ことを特徴とする請求項１に記載の配信装置。
【請求項４】
前記選択部は、
前記関心の度合いが所定の基準を満たす場合、前記所定のアプリケーションの提供元が提供する他のアプリケーションに関する広告を前記配信対象の広告として選択する
ことを特徴とする請求項１に記載の配信装置。
【請求項５】
前記選択部は、
前記関心の度合いが所定の基準を満たす場合、前記所定のアプリケーションの利用を促す広告を前記配信対象の広告として選択する
ことを特徴とする請求項１に記載の配信装置。
【請求項６】
前記受付部は、
広告主から広告を配信するアプリケーションに関する情報を受け付け、
前記選択部は、
前記受付部により受け付けられたアプリケーションに関する情報と前記所定のアプリケーションとが所定の条件を満たす場合、前記広告主の広告を前記配信対象の広告として選択する
ことを特徴とする請求項１〜５のいずれか１項に記載の配信装置。
【請求項７】
前記受付部は、
前記広告主から広告を配信するアプリケーションの指定を受け付け、
前記選択部は、
前記所定のアプリケーションが、前記受付部により受け付けられたアプリケーションである場合、前記広告主の広告を前記配信対象の広告として選択する
ことを特徴とする請求項６に記載の配信装置。
【請求項８】
前記受付部は、
前記広告主から広告を配信するアプリケーションの属性の指定を受け付け、
前記選択部は、
前記所定のアプリケーションの属性が、前記受付部により受け付けられたアプリケーションの属性である場合、前記広告主の広告を前記配信対象の広告として選択する
ことを特徴とする請求項６に記載の配信装置。
【請求項９】
前記選択部は、
前記所定のアプリケーションの利用に際して前記ユーザが課金を行った情報に基づいて推定された前記関心の度合いに応じて、前記配信対象の広告を選択する
ことを特徴とする請求項１〜８のいずれか１項に記載の配信装置。
【請求項１０】
前記選択部は、
前記ユーザによる前記所定のアプリケーションの利用頻度に関する情報に基づいて推定された前記関心の度合いに応じて、前記配信対象の広告を選択する
ことを特徴とする請求項１〜９のいずれか１項に記載の配信装置。
【請求項１１】
前記選択部は、
前記ユーザによる前記所定のアプリケーションの利用時間に関する情報に基づいて推定された前記関心の度合いに応じて、前記配信対象の広告を選択する
ことを特徴とする請求項１〜１０のいずれか１項に記載の配信装置。
【請求項１２】
前記選択部は、
前記ユーザによる前記所定のアプリケーションに関連するコンテンツの閲覧に関する情報に基づいて推定された前記関心の度合いに応じて、前記配信対象の広告を選択する
ことを特徴とする請求項１〜１１のいずれか１項に記載の配信装置。
【請求項１３】
前記選択部は、
前記ユーザによる前記所定のアプリケーションの検索に関する行動の情報に基づいて推定された前記関心の度合いに応じて、前記配信対象の広告を選択する
ことを特徴とする請求項１〜１２のいずれか１項に記載の配信装置。
【請求項１４】
前記選択部は、
前記ユーザによる前記所定のアプリケーションにおける行動に関する情報に基づいて推定された前記関心の度合いに応じて、前記配信対象の広告を選択する
ことを特徴とする請求項１〜１３のいずれか１項に記載の配信装置。
【請求項１５】
前記配信部は、
他の端末装置における前記所定のアプリケーションの利用履歴に関する情報を含む前記所定のアプリケーションの利用履歴に関する情報に基づいて選択される広告を前記端末装置に配信する
ことを特徴とする請求項１〜１４のいずれか１項に記載の配信装置。
【請求項１６】
前記受付部は、
前記端末装置において動作する他のアプリケーションによる広告要求を受け付け、
前記配信部は、
前記他のアプリケーションに表示される広告として、前記配信対象の広告を前記端末装置に配信する
ことを特徴とする請求項１〜１５のいずれか１項に記載の配信装置。
【請求項１７】
コンピュータが実行する配信方法であって、
端末装置から広告要求を受け付ける受付工程と、
前記端末装置における所定のアプリケーションの利用履歴に関する情報に基づいて推定された前記所定のアプリケーションに対する前記端末装置を利用するユーザの関心の度合いが所定の基準を満たす場合、アプリケーションに関する広告を配信対象の広告として選択する選択工程と、
前記受付工程により前記広告要求が受け付けられた場合、前記選択工程により選択された前記配信対象の広告を前記端末装置に配信する配信工程と、
を含むことを特徴とする配信方法。
【請求項１８】
端末装置から広告要求を受け付ける受付手順と、
前記端末装置における所定のアプリケーションの利用履歴に関する情報に基づいて推定された前記所定のアプリケーションに対する前記端末装置を利用するユーザの関心の度合いが所定の基準を満たす場合、アプリケーションに関する広告を配信対象の広告として選択する選択手順と、
前記受付手順により前記広告要求が受け付けられた場合、前記選択手順により選択された前記配信対象の広告を前記端末装置に配信する配信手順と、
をコンピュータに実行させることを特徴とする配信プログラム。
【手続補正２】
【補正対象書類名】明細書
【補正対象項目名】０００６
【補正方法】変更
【補正の内容】
【０００６】
本願に係る配信装置は、端末装置から広告要求を受け付ける受付部と、前記端末装置における所定のアプリケーションの利用履歴に関する情報に基づいて推定された前記所定のアプリケーションに対する前記端末装置を利用するユーザの関心の度合いが所定の基準を満たす場合、アプリケーションに関する広告を配信対象の広告として選択する選択部と、前記受付部により前記広告要求が受け付けられた場合、前記選択部により選択された前記配信対象の広告を前記端末装置に配信する配信部と、を備えたことを特徴とする。
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
特定の施設で提供される料理メニューを紹介するメニュー情報を生成するメニュー生成システムであって、
メニュー名を識別するメニューＩＤ毎に複数言語で示したメニュー名を対応付けて記憶する第１データベースと、
メニュー属性を識別する属性ＩＤ毎に複数言語で示したメニュー属性を対応付けて記憶する第２データベースと、
前記メニューIＤと、該メニューIＤで特定されるメニューのメニュー属性を識別する属性IＤとを対応付けて記憶するメニューデータベースと、
前記第１データベース及び前記第２データベースに記憶された前記メニュー名及び前記メニュー属性を前記複数言語のうちの一の言語でそれぞれ選択可能な状態で提示し、提示された情報のなかから選択された前記メニュー名及び前記メニュー属性を受け付け、該受け付けたメニュー名を識別するメニューIＤと、該受け付けたメニュー属性を識別する属性ＩＤとを対応付けて前記メニューデータベースに記憶させるメニュー情報登録部とを有する、
ことを特徴とするメニュー生成システム。
【請求項２】
特定の施設で提供される料理メニューを紹介するための前記複数言語で示したメニュー情報を記憶する多言語メニュー情報データベースを有し、
前記メニュー情報登録部は、前記メニュー生成システムの使用者からの要求に応じて、前記メニューIＤと前記属性ＩＤとを対応付けて前記メニューデータベースに記憶させると、前記第１データベース、前記２データベース及び前記メニューデータベースを用いて、前記複数言語のメニュー情報を生成し、前記生成した複数言語のメニュー情報を多言語メニュー情報データベースに記憶させる、
ことを特徴とする請求項１に記載のメニュー生成システム。
【請求項３】
前記特定の施設を利用するユーザが用いるユーザ端末から、前記複数言語のうちのいずれかの言語を指定したメニュー提示要求を受け付けると、前記メニューデータベースにアクセスし、前記メニューIＤ及び前記属性ＩＤを読み出し、該読み出した該メニューIＤ及び該属性ＩＤと、前記第１データベース及び第２データベースとを用いて、前記指定された言語で示したメニュー情報を生成し、該ユーザ端末に該生成したメニュー情報を提供する情報提供部を有する、
ことを特徴とする請求項１記載のメニュー生成システム。
【請求項４】
前記特定の施設を利用するユーザが用いるユーザ端末から、前記複数言語のうちのいずれかの言語を指定したメニュー提示要求を受け付けると、前記多言語メニュー情報データベースにアクセスし、指定された言語のメニュー情報を読み出し、前記ユーザ端末に、該読み出したメニュー情報を提供する情報提供部を有する、
ことを特徴とする請求項２記載のメニュー生成システム。
【請求項５】
前記第１データベース及び前記第２データベースが１つのデータベースで構成されている、
ことを特徴とする請求項１〜４のいずれかに記載のメニュー生成システム。
【請求項６】
前記第２データベースは、
食材を識別する属性IＤに、複数言語で示した食材を対応付けて記憶する食材データベースと、
調味料を識別する属性IＤに、複数言語で示した調味料を対応付けて記憶する調味料データベースと、
調理方法を識別する属性IＤに、複数言語で示した調理方法を対応付けて記憶する調理方法データベースとを有している、
ことを特徴とする請求項１〜５のいずれかに記載のメニュー生成システム。